(57)【要約】【課題】ロック部材同士の相対間隔の変更を常にスムーズに行えるようにして、施錠及び解錠作業をより簡便に行うことができる引き戸のロック装置を提供する。【解決手段】本発明に係る補助ロック装置１は、ねじ軸２を回動自在に支持する支持筒体３と、この支持筒体３の外周部から径外方向に突設された一対の枢着軸４と、この各枢着軸４に基端部が回動自在に枢着された一対のロック部材５と、ねじ軸２が貫通状に螺合されかつ両ロック部材５の相対抗内面に当接する当接部６を幅方向両端部に有するスライダ７と、ねじ軸２を回動操作するための操作部材８と、を備えている。【選択図】　　　図３
2004036364.tif 000002
【特許請求の範囲】
【請求項１】
ねじ軸（２）を回動自在に支持する支持筒体（３）と、
この支持筒体（３）の外周部から径外方向に突設された一対の枢着軸（４）と、
この各枢着軸（４）に基端部が回動自在に枢着された一対のロック部材（５）と、
前記ねじ軸（２）が貫通状に螺合されかつ前記両ロック部材（５）の相対抗内面に当接する当接部（６）を幅方向両端部に有するスライダ（７）と、
前記ねじ軸（２）を回動操作するための操作部材（８）と、
を備えていることを特徴とする引き戸の補助ロック装置。
【請求項２】
操作部材（８）は、ねじ軸（２）の軸方向一端部に設けられた嵌合部（９）に対して着脱自在に嵌合可能な操作つまみより構成されていることを特徴とする請求項１に記載の引き戸の補助ロック装置。
【請求項３】
ロック部材（５）の先端部が弾力性を有する緩衝パッド（１３）で被覆されている請求項１又は２に記載の引き戸の補助ロック装置。
【発明の詳細な説明】
【０００１】
【発明の属する技術分野】
本発明は、本来の錠装置とは別に室内外の両引き戸を補助的にロックするのに適した、引き戸の補助ロック装置に関する。
【０００２】
【従来の技術】
例えば、建物の窓部や玄関を構成するアルミサッシは、戸枠に設けた内外二列のレールに室内外の引き戸を走行自在に設けることによって構成され、これらの両引き戸の施錠は、一般に、両引き戸を閉鎖したときに戸枠の中央で重なり合う縦桟同士をいわゆるクレセント錠で固定することによって行われる。
しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。
【０００３】
そして、かかる補助ロック装置として、室外引き戸の横桟に室内から当接する第一拡張片を先端部に有するケーシングと、このケーシング内にスライド自在に収納されかつ戸枠の室内段差に当接する第二拡張片を有するスライドプレートと、前記両拡張片同士の相対間隔を変更できるように前記スライドプレートを移動させる錠機構と、この錠機構をケーシングの外部から回動操作するためのつまみ部材とを備えたものがある（例えば、実公平７−１２５９６号公報参照）。
【０００４】
かかる補助ロック装置によれば、両拡張片を室外引き戸と戸枠の室内段差の間に嵌め込んだ状態でケーシングを窓枠にセットしたあと、両拡張片の間隔を拡張させるようにつまみ部材を回動操作することにより、室外引き戸が第一拡張片に押圧されて開かないようになるとともに、室内引き戸はケーシングそのものが邪魔になって開かないようになり、室内外の両引き戸をロックすることができる。
【０００５】
【発明が解決しようとする課題】
上記従来の補助ロック装置では、第一拡張片を先端部に有するケーシングの内部に、第二拡張片を有するスライドプレートをスライド自在に収納する構造になっているので、ケーシングの内部に入り込んだ塵埃やスライドプレートに残った成形バリ等が原因で、同プレートがケーシングに対して噛み込んで移動し難くなることがある。
このため、従来の補助ロック装置では、極めて大きな力でつまみ部材を回動操作しないと両拡張片同士の相対間隔を変更することができず、補助ロック装置に対する施錠及び解錠作業が非常に行い難くなることがある。
【０００６】
そこで、本発明の課題は、ロック部材同士の相対間隔の変更を常にスムーズに行えるようにして、施錠及び解錠作業をより簡便に行うことができる引き戸のロック装置を提供する点にある。
【０００７】
【課題を解決するための手段】
本発明は、上記課題を解決するために次の解決手段を採用した。
即ち、本発明に係る引き戸の補助ロック装置は、ねじ軸を回動自在に支持する支持筒体と、この支持筒体の外周部から径外方向に突設された一対の枢着軸と、この各枢着軸に基端部が回動自在に枢着された一対のロック部材と、前記ねじ軸が貫通状に螺合されかつ前記両ロック部材の相対抗内面に当接する当接部を幅方向両端部に有するスライダと、前記ねじ軸を回動操作するための操作部材と、を備えていることを特徴とする。
【０００８】
上記操作部材は、ねじ軸の軸方向一端部に設けられた嵌合部に対して着脱自在に嵌合可能な操作つまみより構成することができる。
また、ロック部材の先端部は、弾力性を有する緩衝パッドで被覆されていることが好ましい。
【０００９】
【作用】
本発明に係る補助ロック装置を用いて引き戸を施錠するには、一対のロック部材を共に室外引き戸と戸枠の間に嵌め込んだあと、操作部材を介してねじ軸を回動操作してスライダを上昇させればよい。
すると、スライダの当接部によって両ロック部材が枢着軸回りに開脚方向に回動し、そのうちの一方のロック部材が室外引き戸を押圧して同引き戸が開かないようにロックされるともに、室内引き戸は当該両ロック部材そのものが邪魔になって開かないようになり、室内外の両引き戸がロックされる。
【００１０】
他方、本発明に係る補助ロック装置を解錠するには、操作部材を介して上記とは逆向きにねじ軸を回動操作してスライダを下降させればよい。
すると、両ロック部材が枢着軸回りに閉脚方向に回動して両引き戸に対する押圧力が解除されるので、この状態で、一対のロック部材を室外引き戸と戸枠の間から抜き取ることにより、室内外の両引き戸のロックが解除されることになる。
【００１１】
このように、本発明に係る補助ロック装置によれば、支持筒体に突設した枢着軸に回動自在に枢着された両ロック部材の開脚及び閉脚動作によってその相対間隔を変更するようにしたので、従来のように塵埃や成形バリ等が原因となってロック部材同士の相対移動が阻害されることがなく、ロック部材同士の相対間隔の変更を常にスムーズに行うことができる。
【００１２】
【実施例】
以下、図面を参照しつつ、本発明の実施例を説明する。
図１〜図３に示すように、本実施例に係る補助ロック装置１は、本来の錠装置（例えば、クレセント錠）とは別に室内外の両引き戸を補助的にロックするためのものであり、ねじ軸２を回動自在に支持する支持筒体３と、この支持筒体３の外周部から径外方向に突設された一対の枢着軸４と、を備えている。
【００１３】
また、本実施例に係る補助ロック装置１は、前記各枢着軸４に基端部が回動自在に枢着された一対のロック部材５と、前記ねじ軸２が貫通状に螺合されかつ前記両ロック部材５の相対抗内面に当接する当接部６を幅方向両端部に有するスライダ７と、前記ねじ軸２を回動操作するための操作部材８と、を備えている。
このうち、支持筒体３は、有底の短円筒状に形成された軸心方向が上下方向に向く金属製筒体よりなり、この支持筒体３の底部に、前記ねじ軸２が回転自在にかつ上下方向に移動自在となるように挿通されている。
【００１４】
図２及び図３に示すように、ねじ軸２の上端部には、断面ハット状に形成されたプラスチック製の嵌合部９が固定されており、この嵌合部９は支持筒体３の内部に収納されている。
図２に示すように、前記枢着軸４は、その基端部を支持筒体３の外周壁に形成した取付孔１０に螺合することにより、当該支持筒体３の径外方向に片持ち状に突設されている。
【００１５】
図１及び図２に示すように、各ロック部材５は、中央部が鈍角に屈曲された側面視ほぼへの字状を呈する金属製プレートよりなり、前記枢着軸４が挿通されたボス部１１を基端部（図１の上端部）に有している。ロック部材５の屈曲部よりも下方に位置する下半部分は、引き戸等に対する押圧部１２とされ、この押圧部１２は弾力性を有する緩衝パッド１３によって被覆されている。
【００１６】
図３に示すように、前記スライダ７は、丸みを帯びた形状の前記当接部６を幅方向両端部に有するプラスチック製のスライダ本体１４と、この本体１４の断面中央部に収納されたナット１５とから構成されている。このスライダ７は、前記ねじ軸２をナット１５に螺合させた状態で当該ねじ軸２に貫通されており、このため、ねじ軸２の回動に伴って上下方向位置を変更できるようになっている。
【００１７】
前記操作部材８は、前記嵌合部９に対して着脱自在に嵌合可能な操作つまみよりなり、本実施例の操作つまみは、嵌合部９に外嵌する嵌合筒部１６と、この筒部１６の上端部から突出したほぼ逆台形状のつまみ部１７とを一体に備えている。
【００１８】
次に、上記構成に係る補助ロック装置１の使用方法と作用を説明する。
まず、当該補助ロック装置１を用いて引き戸を施錠するには、図３に示すように、一対のロック部材５の下半部分を共に室外引き戸１８と戸枠１９の間に嵌め込んだあと、操作部材８によってねじ軸２を回動操作してスライダ７を上昇させればよい。
【００１９】
すると、スライダ７の当接部６によって両ロック部材５が枢着軸４回りに開脚方向に回動し、そのうちの一方のロック部材５が室外引き戸１８を押圧して同引き戸１８が開かないようにロックされるともに、室内引き戸（図示せず）は当該両ロック部材５そのものが邪魔になって開かないようになり、室内外の両引き戸がロックされる。
【００２０】
他方、本実施例の補助ロック装置１を解錠するには、操作部材８を介して上記とは逆向きにねじ軸２を回動操作してスライダ７を下降させればよい。
すると、両ロック部材５が枢着軸４回りに閉脚方向に回動して両引き戸に対する押圧力が解除されるので、この状態で、一対のロック部材５を室外引き戸１８と戸枠１９の間から抜き取ることにより、室内外の両引き戸のロックが解除されることになる。
【００２１】
このように、本実施例の補助ロック装置１によれば、支持筒体３に突設した枢着軸４に回動自在に枢着された両ロック部材５の開脚及び閉脚動作によってその相対間隔を変更するようにしたので、ロック部材同士の相対間隔の変更を常にスムーズに行うことがでる。
従って、本実施例の補助ロック装置１によれば、従来のように塵埃や成形バリ等が原因となってロック部材５同士の相対移動が阻害されるというようなことがなく、このため、ケーシング内でスライドプレートを摺動させることによって両ロック部材の相対間隔を変更している従来の補助ロック装置に比べて、引き戸に対する施錠及び解錠作業をより簡便に行うことができる。
【００２２】
また、本実施例の補助ロック装置１では、操作部材８が、ねじ軸２の軸方向一端部に設けられた嵌合部９に対して着脱自在に嵌合可能な操作つまみより構成されているので、補助ロック装置１を施錠した後に操作つまみ８を抜き取っておくことにより、当該補助ロック装置１を室内側から悪戯で解錠されるのを未然に防止することができる。
【００２３】
更に、本実施例の補助ロック装置１では、ロック部材５の先端部が弾力性を有する緩衝パッド１３で被覆されているので、室外引き戸１８や戸枠１９の損傷を未然に防止できるともに、当該パッド１３の滑り止め効果によって引き戸のロックがより確実になるという利点もある。
なお、本発明は上記実施例に限定されるものではない。
【００２４】
【発明の効果】
本発明によれば、ロック部材同士の相対間隔の変更を常にスムーズに行えるので、引き戸に対する施錠及び解錠作業をより簡便に行うことができる。
【図面の簡単な説明】
【図１】本発明に係る補助ロック装置の側面図である。
【図２】本発明に係る補助ロック装置の平面図である。
【図３】本発明に係る補助ロック装置の使用状態を示す側面断面図である。
【符号の説明】
１　　　補助ロック装置
２　　　ねじ軸
３　　　支持筒体
４　　　枢着軸
５　　　ロック部材
６　　　当接部
７　　　スライダ
８　　　操作部材
９　　　嵌合部
１３　　　緩衝パッド
【図１】
2004036364.tif 000003
【図２】
2004036364.tif 000004
【図３】
2004036364.tif 000005